(57)【要約】【課題】放送事業者が次回放送番組の放送時間を送出しているか否かにかかわらず、視聴者が視聴中番組の次回放送番組の有無を容易に確認でき視聴中番組の次回放送番組の録画予約を容易に行うことができるようにする。【解決手段】録画予約装置において、放送内容を伝送する信号に含まれるＳＩからＥＰＧ生成用データベースが生成され、ＳＩから視聴中番組の情報が取得される。ＥＰＧ生成用データベースに対して、本日放送される各番組の次回放送番組の有無の検索が行われる。検索の結果から、本日放送される各番組の次回放送番組の有無を示す情報を含む次回放送データベースが生成される。視聴中番組の情報および次回放送データベースから視聴中番組の次回放送番組が有ると判断された場合に、視聴中番組の次回放送番組の録画予約を受け付けるインターフェースが生成される。【選択図】図２
2018164120.tif 000002
【特許請求の範囲】
【請求項１】
放送内容を伝送する信号に含まれる番組配列情報を解析し、前記番組配列情報から電子番組ガイド生成用データベースの生成を行い、前記番組配列情報から視聴中番組の情報を取得する番組配列情報解析部と、
前記電子番組ガイド生成用データベースに対して本日放送される少なくともひとつの番組の各々である各番組の次回放送番組の有無の検索を行う次回放送検索部と、
前記検索の結果から前記各番組の次回放送番組の有無を示す情報を含む次回放送データベースを生成するデータベース生成部と、
前記視聴中番組の情報および前記次回放送データベースから前記視聴中番組の次回放送番組の有無を判断し、前記視聴中番組の次回放送番組が有ると判断した場合に、前記視聴中番組の次回放送番組の録画予約を受け付けるインターフェースの生成の要求を行う生成要求部と、
前記要求が行われた場合に前記インターフェースを生成するインターフェース生成部と、
を備える録画予約装置。
【請求項２】
前記番組配列情報解析部は、前記電子番組ガイド生成用データベースの生成が完了したことを示す生成完了通知を前記次回放送検索部に送り、
前記次回放送検索部は、前記生成完了通知を受けるのに応答して前記検索を行う
請求項１の録画予約装置。
【請求項３】
日付が変更されたことを示す日付変更通知を前記次回放送検索部に送る日付変更通知部
をさらに備え、
前記次回放送検索部は、前記日付変更通知を受けるのに応答して前記検索を行う
請求項１または２の録画予約装置。
【請求項４】
前記次回放送データベースは、前記各番組が放送されるチャンネルならびに前記各番組の放送時間および番組名を示す情報をさらに含み、前記各番組の次回放送番組の有無を示す情報により前記各番組の次回放送番組が有ることが示される場合に前記各番組の次回放送番組の放送時間および番組名を示す情報をさらに含む
請求項１から３までのいずれかの録画予約装置。
【請求項５】
前記データベース生成部は、本日放送が終了した番組の次回放送番組の有無を示す情報を前記次回放送データベースから削除する
請求項１から４までのいずれかの録画予約装置。
【請求項６】
前記インターフェースは、前記視聴中番組の次回放送番組についての表示情報を含む電子番組ガイドであり、
前記インターフェース生成部は、前記電子番組ガイド生成用データベースから前記電子番組ガイドを生成する電子番組ガイド生成部である
請求項１から５までのいずれかの録画予約装置。
【請求項７】
前記電子番組ガイドは、前記表示情報が先頭に強調表示される番組表を含む
請求項６の録画予約装置。
【請求項８】
前記インターフェース生成部は、前記インターフェースの表示を行い、前記表示を行った場合に前記視聴中番組の次回放送番組の情報の通知を行い、
前記録画予約装置は、前記通知が行われた場合に前記視聴中番組の次回放送番組の情報の蓄積を行い、前記蓄積により得られる複数の次回放送番組の情報から視聴者の嗜好を示す嗜好情報を生成する嗜好情報生成部をさらに備え、
前記次回放送検索部は、前記嗜好情報を利用して前記検索の範囲を制限する
請求項１から７までのいずれかの録画予約装置。
【請求項９】
請求項１から８までのいずれかの録画予約装置と、
前記信号から前記番組配列情報を抽出するデマルチプレクサと、
前記インターフェースが前記視聴中番組の次回放送番組の録画予約を受け付けた場合に前記視聴中番組の次回放送番組を録画する録画部と、
を備える録画再生装置。
【請求項１０】
a) 放送内容を伝送する信号に含まれる番組配列情報から電子番組ガイド生成用データベースの生成を行う工程と、
b) 前記番組配列情報から視聴中番組の情報を取得する工程と、
c) 前記電子番組ガイド生成用データベースに対して本日放送される少なくともひとつの番組の各々である各番組の次回放送番組の有無の検索を行う工程と、
d) 前記検索の結果から前記各番組の次回放送番組の有無を示す情報を含む次回放送データベースを生成する工程と、
e) 前記視聴中番組の情報および前記次回放送データベースから前記視聴中番組の次回放送番組の有無を判断し、前記視聴中番組の次回放送番組が有ると判断した場合に、前記視聴中番組の次回放送番組の録画予約を受け付けるインターフェースの生成の要求を行う工程と、
f) 前記要求が行われた場合に前記インターフェースを生成する工程と、
を備える録画予約方法。
【発明の詳細な説明】
【技術分野】
【０００１】
本発明は、録画予約装置、録画再生装置および録画予約方法に関する。
【背景技術】
【０００２】
ハードディスクドライブ（ＨＤＤ）、デジタル多目的ディスク（ＤＶＤ）等の記録媒体を録画先にするデジタル放送の録画再生装置には、ＨＤＤおよびＤＶＤドライブを内蔵するレコーダ、ＨＤＤを内蔵するテレビ等がある。最近の録画再生装置においては、電子番組ガイド（ＥＰＧ）を表示させ、表示させたＥＰＧから視聴を希望する番組を探し出し、探し出した番組の録画予約を行う、という操作が可能であることが多い。
【０００３】
一方、デジタル放送の視聴は、受動的に行われることが多い。このため、デジタル放送を視聴する視聴者が、視聴中番組にたまたま興味を持ち、その結果として視聴中番組の次回放送番組を視聴することを希望し、視聴を希望する次回放送番組の録画予約を行う、という使用シーンが想定される。しかし、従来の録画再生装置によれば、当該使用シーンにおいて、次回放送番組の有無および放送時間を知るためにＥＰＧから次回放送番組を探し出す手間のかかる操作を行わなければならなかった。例えば、次回放送番組が翌日の同時間および翌週の同曜日の同時間のいずれに放送されるのかを知るためにＥＰＧを表示させ、表示させたＥＰＧから次回放送番組が翌日の同時間および翌週の同曜日の同時間のいずれに放送されるのかを調べ、次回放送番組の録画予約を行う、という手間のかかる操作を行わなければならなかった。
【０００４】
特許文献１に記載された技術は、デジタル放送受信装置に関する（特許文献１の発明の名称）。当該技術においては、放送事業者が次回放送日時情報を送出し、デジタル放送信号に含まれる番組配列情報（ＳＩ）に基づいて次回放送日時情報が取り出され（特許文献１の段落００１２−００１４）、次回放送日時を知らせる画面の表示が行われ（特許文献１の段落００１７）、次回の放送の録画予約の意思を確認するメッセージが表示される（特許文献１の段落００２１）。
【０００５】
この他、毎日の同時間または毎週の同曜日の同時間に録画を行う録画予約機能を有する製品も上市されている。当該録画予約機能は、視聴者が、毎日の同時間または毎週の同曜日の同時間に放送されるレギュラー番組の放送時間を知っており、当該レギュラー番組の録画予約を行う、という使用シーンにおいては役に立つが、先述の使用シーンにおいては必ずしも役に立たない。
【先行技術文献】
【特許文献】
【０００６】
【特許文献１】特開２００２−１７１４５５号公報
【発明の概要】
【発明が解決しようとする課題】
【０００７】
特許文献１に記載された技術によれば、次回放送番組の有無および放送時間を知るためにＥＰＧから次回放送番組を探し出す手間のかかる操作を行う必要がなくなる。しかし、特許文献１に記載された技術は、放送事業者が次回放送日時情報を送出することを前提としており、放送事業者が次回放送日時情報を送出していない場合は実現できない。
【０００８】
本発明は、これらの問題を解決することを目的とする。本発明が解決しようとする課題は、放送事業者が次回放送番組の放送時間を送出しているか否かにかかわらず、視聴者が視聴中番組の次回放送番組の有無を容易に確認でき視聴中番組の次回放送番組の録画予約を容易に行うことができるようにすることである。
【課題を解決するための手段】
【０００９】
本発明は、録画予約装置および録画予約方法に関する。
【００１０】
本発明においては、放送内容を伝送する信号に含まれる番組配列情報から電子番組ガイド生成用データベースが生成される。また、番組配列情報から視聴中番組の情報が取得される。
【００１１】
電子番組ガイド生成用データベースに対して、本日放送される少なくともひとつの番組の各々である各番組の次回放送番組の有無の検索が行われる。
【００１２】
検索の結果から、各番組の次回放送番組の有無を示す情報を含む次回放送データベースが生成される。
【００１３】
視聴中番組の情報および次回放送データベースから視聴中番組の次回放送番組の有無が判断され、視聴中番組の次回放送番組が有ると判断された場合に、視聴中番組の次回放送番組の録画予約を受け付けるインターフェースの生成の要求が行われる。
【００１４】
要求が行われた場合に、当該インターフェースが生成される。
【００１５】
本発明は、録画予約装置を備える録画再生装置にも向けられる。
【発明の効果】
【００１６】
本発明によれば、放送事業者が次回放送番組の放送時間を送出しているか否かにかかわらず、視聴中番組の次回放送番組が有る場合に、視聴中番組の次回放送番組の録画予約を受け付けるインターフェースが視聴者に提供されるので、視聴者が視聴中番組の次回放送番組の有無を容易に確認でき視聴中番組の次回放送番組の録画予約を容易に指示できる。
【００１７】
また、本発明によれば、電子番組ガイド生成用データベースより小規模の次回放送データベースが事前に生成され、視聴中番組の次回放送番組の有無の判断に次回放送データベースが使用されるので、視聴中番組の次回放送番組の有無の判断が迅速に行われ、視聴中番組の次回放送番組の有無についての表示情報が視聴者に迅速に提供される。
【００１８】
この発明の目的、特徴、局面、および利点は、以下の詳細な説明と添付図面とによって、より明白となる。
【図面の簡単な説明】
【００１９】
【図１】実施の形態１および２の録画再生装置を図示するブロック図である。
【図２】実施の形態１の録画再生装置に備えられる録画予約部を図示するブロック図である。
【図３】実施の形態１および２の録画再生装置において生成される次回放送データベースの例を図示する図である。
【図４】実施の形態１および２の録画再生装置において視聴中番組の次回放送番組が無い場合に表示される画面の例を図示する模式図である。
【図５】実施の形態１および２の録画再生装置において視聴中番組の次回放送番組が有る場合に表示される画面の例を図示する模式図である。
【図６】実施の形態１および２の録画再生装置において表示される次回放送ＥＰＧの例を図示する模式図である。
【図７】実施の形態１の録画再生装置における、ＥＰＧおよび次回放送データベースを生成する処理の流れを図示するフローチャートである。
【図８】実施の形態１および２の録画再生装置における、新たな日が到来した場合の次回放送データベースを生成する処理の流れを図示するフローチャートである。
【図９】実施の形態１および２の録画再生装置における、次回放送ＥＰＧを生成する処理の流れを図示するフローチャートである。
【図１０】実施の形態１および２の録画再生装置における、当該録画再生装置が起動した場合の処理の流れを図示するフローチャートである。
【図１１】実施の形態１および２の録画再生装置における、視聴中番組の次回放送番組の有無についての表示情報を提供し視聴中番組の次回放送番組の録画予約を受け付ける処理の流れを図示するフローチャートである。
【図１２】実施の形態１および２の録画再生装置において視聴中番組の次回放送番組が有る場合に表示される画面の別例を図示する模式図である。
【図１３】実施の形態２の録画再生装置に備えられる録画予約部を図示するブロック図である。
【図１４】実施の形態２の録画再生装置における、ＥＰＧおよび次回放送データベースを生成する処理の流れを図示するフローチャートである。
【発明を実施するための形態】
【００２０】
１  実施の形態１
１．１  録画再生装置
図１は、実施の形態１の録画再生装置を図示するブロック図である。
【００２１】
図１に図示される録画再生装置１０００は、デジタル放送された番組を録画し録画した番組を再生するように構成され、本体１０２０およびリモコン１０２１を備える。本体１０２０は、チューナー１０４０、復調部１０４１、中央演算処理装置（ＣＰＵ）１０４２、映像表示部１０４３、音声出力部１０４４、メモリ１０４５、ハードディスクドライブ（ＨＤＤ）１０４６およびリモコン受信部１０４７を備える。録画再生装置１０００がこれらの構成物以外の構成物を備えてもよい。録画再生装置１０００に内蔵されるＨＤＤ１０４６、映像表示部１０４３および音声出力部１０４４の全部または一部が、録画再生装置１０００に接続される外部機器になってもよい。本体１０２０から分離された操作部であるリモコン１０２１が本体１０２０に内蔵された操作部に置き換えられてもよい。ＨＤＤ１０４６が他の種類の記録媒体に置き換えられてもよい。
【００２２】
ＣＰＵ１０４２は、プログラムにしたがって制御を行う制御部であり、録画再生装置１０００に備えられる構成物の制御、映像の表示の制御、音声の出力の制御、ＨＤＤ１０４６を用いた録画および再生の制御等を行う。また、ＣＰＵ１０４２は、プログラムにしたって処理を行う処理部であり、リモコン１０２１に対する操作に応じた機能を提供する処理、録画予約を行う処理等を行う。さらに、ＣＰＵ１０４２は、後述する次回放送データベースを参照および取得し視聴中番組の次回放送番組の有無を通知する処理等を行う。
【００２３】
ＣＰＵ１０４２は、これらの制御および処理を行うために、デマルチプレクサ（Ｄｅｍｕｘ）１０６０、デコーダ部１０６１、映像処理部１０６２、音声処理部１０６３、録画予約部１０６４および録画部１０６５を備える。ＣＰＵ１０４２がこれらの構成物以外の構成物を備えてもよい。これらの構成物の全部または一部がプログラムを実行しないハードウェアにより実装されてもよい。
【００２４】
録画再生装置１０００においては、録画再生装置１０００に電気的に接続されたアンテナ１０８０により受信された放送波がチューナー１０４０に入力される。入力された放送波は、復調部１０４１により復調される。復調により生成された信号は、Ｄｅｍｕｘ１０６０により映像信号、音声信号および番組配列情報（ＳＩ）に分離される。これにより、放送内容を伝送する信号から当該信号に含まれるＳＩが抽出される。分離により生成された映像信号および音声信号は、デコーダ部１０６１によりデコードされる。デコードされた映像信号は、映像処理部１０６２に供給される。供給された映像信号には、映像処理部１０６２により各種の画質処理等が適用される。各種の画質処理等が適用された映像信号は、映像表示部１０４３に供給される。映像表示部１０４３には、供給された映像信号に応じた映像が表示される。デコードされた音声信号は、音声処理部１０６３に供給される。供給された音声信号には、音声処理部１０６３により各種の音質処理等が適用される。各種の音質処理等が適用された音声信号は、音声出力部１０４４に供給される。音声出力部１０４４からは、供給された音声信号に応じた音声が出力される。映像表示部１０４３は、液晶パネル、有機エレクトロルミネッセンスＥＬ（ＥＬ）パネル等である。音声出力部１０４４は、スピーカ等である。
【００２５】
また、録画再生装置１０００においては、番組の録画予約が録画予約部１０６４により受け付けられ、録画予約が受け付けられた番組が録画部１０６５により録画される。番組の録画においては、当該番組の内容を示す映像データおよび音声データがＨＤＤ１０４６に書き込まれる。
【００２６】
さらに、録画再生装置１０００においては、リモコン１０２１に対する操作に応じた信号がリモコン１０２１により送信され、送信された信号がリモコン受信部１０４７により受信され、受信された信号に応じた信号がリモコン受信部１０４７から出力される。したがって、ＣＰＵ１０４２は、リモコン受信部１０４７から出力される信号によりリモコン１０２１に対する操作を検出する。
【００２７】
１．２  録画予約部
図２は、実施の形態１の録画再生装置に備えられる録画予約部を図示するブロック図である。
【００２８】
録画予約部１０６４は、録画予約装置であり、図２に図示されるＳＩ解析部１１００、ＥＰＧ生成部１１０１、次回放送検索部１１０２、次回放送管理部１１０３、日付変更通知部１１０４および生成要求部１１０５を備える。録画予約部１０６４がこれらの構成物以外の構成物を備えてもよい。
【００２９】
ＳＩ解析部１１００は、Ｄｅｍｕｘ１０６０により抽出されたＳＩを解析する。また、ＳＩ解析部１１００は、ＳＩの解析によりＳＩから電子番組ガイド（ＥＰＧ）生成用データベース１１４０を生成し、ＥＰＧ生成用データベース１１４０の生成が完了したことを示す生成完了通知をＥＰＧ生成部１１０１および次回放送検索部１１０２に送り、生成したＥＰＧ生成用データベース１１４０を管理する。さらに、ＳＩ解析部１１００は、ＳＩの解析によりＳＩから視聴中番組の情報を取得する。
【００３０】
ＥＰＧ生成用データベース１１４０は、その生成および管理を行うＳＩ解析部１１００により保有されるが、その実体はメモリ１０４５に保存される。ＥＰＧ生成用データベース１１４０の実体がメモリ１０４５以外の記憶媒体に保存されてもよい。
【００３１】
ＥＰＧ生成部１１０１は、ＥＰＧ生成用データベース１１４０からＥＰＧを生成し、生成したＥＰＧを管理する。
【００３２】
次回放送検索部１１０２は、ＥＰＧ生成用データベース１１４０に対して、本日放送される少なくともひとつの番組の各々の次回放送番組の有無の検索を行う。本日とは、録画再生装置１０００が起動されるのに応答して検索が行われる場合は録画再生装置１０００が起動される日であり、録画再生装置１０００が起動された後に新たな日が到来するのに応答して検索が行われる場合は、到来する新たな日である。本日放送される少なくともひとつ番組は、検索が開始される時刻から翌日の午前０時０分までの間に放送が予定されている番組の全部または一部である。
【００３３】
次回放送管理部１１０３は、行われた検索の結果から次回放送データベース１１４１を生成するデータベース生成部であるとともに、生成した次回放送データベース１１４１の管理も行う。次回放送データベース１１４１は、本日放送される少なくともひとつの番組の各々の次回放送番組の有無を示す情報を含むが、本日放送されない番組の次回放送番組の有無を示す情報を含まない。したがって、次回放送データベース１１４１はＥＰＧ生成用データベース１１４０よりも小規模のデータベースであり、次回放送データベース１１４１に対する検索はＥＰＧ生成用データベース１１４０に対する検索より短時間で終了する。次回放送データベース１１４１のこの特徴は、視聴中番組の次回放送番組の有無についての表示情報を迅速に視聴者に提供するために利用される。
【００３４】
次回放送データベース１１４１は、録画予約部１０６４の特徴のひとつであるが、次回放送データベース１１４１を生成するために次回放送検索部１１０２により行われる検索の方法は、制限されない。検索においては、例えば、本日放送される番組のチャンネル、放送時間および番組名とそれぞれ一致するチャンネル、放送時間および番組名を有し明日以降放送される番組が本日放送される番組の次回放送番組であると判定される。チャンネル、放送時間および番組名からなる３個の比較項目がチャンネル、放送時間および番組名から選択される１個の比較項目または２個の比較項目に置き換えられてもよい。検索の方法が他の検索の方法に置き換えられてもよい。
【００３５】
ＥＰＧ生成用データベース１１４０、ＥＰＧおよび次回放送データベース１１４１の生成は、それぞれ新規のＥＰＧ生成用データベース１１４０、ＥＰＧおよび次回放送データベース１１４１を作成することにより行われてもよいし、それぞれ既存のＥＰＧ生成用データベース１１４０、ＥＰＧおよび次回放送データベース１１４１を更新することにより行われてもよい。
【００３６】
日付変更通知部１１０４は、日付が変更されたことを示す日付変更通知を次回放送検索部１１０２に送る。
【００３７】
生成要求部１１０５は、視聴中番組の情報および次回放送データベース１１４１から視聴中番組の次回放送番組の有無を判断し、視聴中番組の次回放送番組が有ると判断した場合に次回放送ＥＰＧの生成を要求する。次回放送ＥＰＧは、視聴中番組の次回放送番組についての表示情報を含み、視聴中番組の次回放送番組の録画予約を受け付ける。ＥＰＧ生成部１１０１は、次回放送ＥＰＧの生成が要求された場合にＥＰＧ生成用データベース１１４０から次回放送ＥＰＧを生成する。
【００３８】
１．３  ＥＰＧの生成の概略
ＥＰＧの生成においては、録画再生装置１０００が、ＥＰＧを生成するために必要な情報を含む放送波を受信する。
【００３９】
ＳＩ解析部１１００は、ＳＩからＥＰＧ生成用データベース１１４０を生成し、ＥＰＧ生成用データベース１１４０の生成が完了したことを示す生成完了通知をＥＰＧ生成部１１０１および次回放送検索部１１０２に送る。
【００４０】
ＥＰＧ生成部１１０１は、生成完了通知を受けるのに応答して、ＥＰＧ生成用データベース１１４０からＥＰＧを生成する。
【００４１】
次回放送検索部１１０２は、生成完了通知を受けるのに応答して、ＥＰＧ生成用データベース１１４０に対して本日放送される少なくともひとつの放送の各々である各放送の次回放送番組の有無の検索を行う。また、次回放送検索部１１０２は、各放送の次回放送番組が有ると判定した場合に、各放送の次回放送番組が有ること、各放送の次回放送番組の放送時間および各放送の次回放送番組の番組名を次回放送管理部１１０３に通知する。一方、次回放送検索部１１０２は、各放送の次回放送番組が無いと判定した場合に、各放送の次回放送番組が無いことを次回放送管理部１１０３に通知する。
【００４２】
次回放送管理部１１０３は、これらの通知から次回放送データベース１１４１を生成する。
【００４３】
これらにより、録画予約部１０６４は、ＳＩからＥＰＧ生成用データベース１１４０を生成し、生成したＥＰＧ生成用データベース１１４０からＥＰＧおよび次回放送データベース１１４１をさらに生成する。
【００４４】
次回放送データベース１１４１は、本日放送される各番組の次回放送番組の有無を示す情報を含まなければならない。このため、次回放送検索部１１０２は、生成完了通知を受けなくても、日付変更通知部１１０４から日付変更通知を受けるのに応答して、ＥＰＧ生成用データベース１１４０に対して本日放送される各放送の次回放送番組の有無の検索を行い、次回放送管理部１１０３は、当該検索の結果から次回放送データベース１１４１を生成する。
【００４５】
１．４  次回放送ＥＰＧの生成
次回放送ＥＰＧの生成においては、録画再生装置１０００が起動した時に、生成要求部１１０５が、次回放送管理部１１０３から次回放送データベース１１４１を取得し、次回放送データベース１１４１を取得した後にＳＩ解析部１１００から視聴中番組の情報を取得する。また、生成要求部１１０５は、取得した視聴中番組の情報を取得した次回放送データベース１１４１と照らし合わせ、視聴中番組の次回放送送番組の有無を判断し、判断の結果を視聴者に提供するための表示処理をＥＰＧ生成部１１０１に行わせる。
【００４６】
生成要求部１１０５は、視聴中番組の次回放送番組が有ると判断した場合に視聴中番組の次回放送番組の録画予約が視聴者により希望されたときは、視聴中番組の次回放送番組についての表示情報を含む次回放送ＥＰＧの生成をＥＰＧ生成部１１０１に要求する。
【００４７】
ＥＰＧ生成部１１０１は、次回放送ＥＰＧの生成が要求された場合に、ＥＰＧ生成用データベース１１４０および視聴中番組の次回放送番組の情報から次回放送ＥＰＧを生成する。
【００４８】
これらにより、視聴中番組の次回放送番組についての表示情報を含む次回放送ＥＰＧが視聴者に提供され、視聴者が次回放送ＥＰＧにより視聴中番組の次回放送番組の内容を確認でき、視聴者が次回放送ＥＰＧを用いて視聴中番組の次回放送番組の録画予約を録画再生装置１０００に指示できる。
【００４９】
次回放送ＥＰＧは、生成要求部１１０５がＥＰＧ生成部１１０１に生成を要求した場合に生成される。次回放送ＥＰＧにおいては、視聴中番組の次回放送番組であることを示す印が視聴中番組の次回放送番組についての表示情報に付加される。印の付加は、生成要求部１１０５がＥＰＧ生成部１１０１に通知した視聴中番組の次回放送番組の情報に基づいて行われる。
【００５０】
視聴中番組の次回放送番組についての表示情報を含むだけでなく視聴中番組の次回放送番組以外の番組についての表示情報も含む次回放送ＥＰＧがＥＰＧ生成部１１０１により生成および管理され視聴者に提供されることにより、視聴中番組の次回放送番組の放送時間の付近に放送される他の番組についての表示情報が視聴者に提供され、録画予約の指示の要否の判断に有用な表示情報が視聴者に提供される。
【００５１】
１．５  次回放送データベースの例
図３は、実施の形態１の録画再生装置において生成される次回放送データベースの例を図示する図である。
【００５２】
図３に図示される次回放送データベース１１４１は、一例に過ぎない。次回放送データベース１１４１が他のデータ構造を有する次回放送データベースに置き換えられてもよい。
【００５３】
次回放送データベース１１４１は、チャンネルを示す情報１１６０を含む。
【００５４】
また、次回放送データベース１１４１は、情報１１６０により示されるチャンネルで本日放送される少なくともひとつの番組の各々である各番組について、各番組の放送時間を示す情報１１６１、各番組の番組名を示す情報１１６２および各番組の次回放送番組の有無を示す情報１１６３をさらに含む。
【００５５】
情報１１６３は、値「０」または値「１」をとる。情報１１６３が値「０」をとる場合は、各番組の次回放送番組が無いことが情報１１６３により示される。情報１１６３が値「１」をとる場合は、各番組の次回放送番組が有ることが情報１１６３により示される。各番組の次回放送番組の有無を示す識別子となる値「０」または値「１」が、各番組の次回放送番組の有無を示す他の識別子に置き換えられてもよい。
【００５６】
次回放送データベース１１４１は、情報１１６３が値「１」をとる場合は、各番組の次回放送番組の放送時間および番組名を示す情報１１６４をさらに含む。
【００５７】
次回放送データベース１１４１がこれらの情報以外の情報を含んでもよい。図３に図示される次回放送データベース１１４１においては情報１１６０により示されるチャンネルがチャンネルＡであるが、情報１１６０により示されるチャンネルがチャンネルＡ以外である次回放送データベースを次回放送管理部１１０３が生成してもよい。
【００５８】
次回放送検索部１１０２は、各番組の次々回放送番組以降の番組が存在する場合であっても、各番組の次回放送番組の有無の検索を終了した段階で検索を終了し、各番組の次々回放送番組以降の番組の有無の検索を行わない。したがって、情報１１６４は、各番組の次回放送番組の放送時間および番組名を示すにとどまり、各番組の次々回放送番組以降の番組の放送時間および番組名を示さない。これにより、次回放送番組を対象とする次回放送データベース１１４１が次々回放送番組以降の番組を対象にすることがなくなり、次回放送データベース１１４１に含まれる情報の量が抑制され、次回放送データベース１１４１に対する検索に要する時間が短縮される。
【００５９】
次回放送データベース１１４１が、本日が終了するまで本日放送される全部の番組の情報１１６１，１１６２，１１６３および１１６４を維持し続ける必要はない。したがって、本日放送が終了した番組の情報１１６１，１１６２，１１６３および１１６４を次回放送管理部１１０３が次回放送データベース１１４１から削除してもよい。これにより、次回放送データベース１１４１の実体が保存されるメモリ１０４５の使用量が削減され、生成要求部１１０５が次回放送データベース１１４１を取得するのに要する時間が短縮され、次回放送データベース１１４１に対する検索に要する時間が短縮される。
【００６０】
１．６  サブメニューの呼び出し
生成要求部１１０５は、録画再生装置１０００が視聴中状態である間にサブメニューボタン１１８０を押下する操作がリモコン１０２１に対して行われたことを検出した場合に、視聴中番組の次回放送番組の有無の確認が視聴者により行われたと判定し、視聴中番組の次回放送番組の有無を視聴者に提供するサブメニューを映像表示部１０４３に表示する。表示されるサブメニューは、次回放送データベース１１４１において視聴中番組の次回放送番組の有無を示す情報１１６３がとる値に応じて変化する。すなわち、表示されるサブメニューは、視聴中番組の次回放送番組の有無に応じて変化する。サブメニューボタン１１８０を押下する操作以外の操作によりサブメニューが呼び出されてもよい。
【００６１】
１．７  視聴中番組の次回放送番組が無い場合に表示される画面
図４は、実施の形態１の録画再生装置において視聴中番組の次回放送番組が無い場合に表示される画面の例を図示する模式図である。
【００６２】
視聴中番組の次回放送番組が無い場合にサブメニューボタン１１８０を押下する操作が行われたことが検出されたときは、図４に図示されるサブメニュー１２２０が視聴中番組の画面１２００に重畳するように映像表示部１０４３に表示される。サブメニュー１２２０が視聴中番組の画面１２００に重畳しないように表示されてもよい。
【００６３】
サブメニュー１２２０は、次回放送データベース１１４１において視聴中番組の次回放送番組の有無を示す情報１１６３が値「０」をとり、生成要求部１１０５が視聴中番組の次回放送番組が無いと判断している場合に表示される。例えば、サブメニュー１２２０は、視聴中番組が図３に図示される次回放送データベース１１４１における番組名「番組ｃ」を有する番組である場合に表示される。
【００６４】
サブメニュー１２２０には、視聴中番組の次回放送番組が無いことを表現する文字列「次回放送：なし」を含むメニュー項目１２４０が含まれる。サブメニュー１２２０が録画再生装置１０００の機能に関する他のメニュー項目を含んでもよい。視聴中番組の次回放送番組が無いことを表現する文字列「次回放送：なし」が、視聴中番組の次回放送番組が無いことを表現する他の文字列、アイコン等に置き換えられてもよい。文字列「次回放送：なし」がサブメニュー１２２０以外の表示物に含まれてもよい。文字列「次回放送：なし」が操作にかかわらず常に表示されてもよい。
【００６５】
メニュー項目１２４０がグレーアウトされメニュー項目１２４０を選択する操作が受け付けられないことが視聴者に示されてもよい。メニュー項目１２４０を選択できないことが視聴者に示されることにより、録画再生装置１０００が受け付けない操作を視聴者が試みることが抑制される。
【００６６】
１．８  視聴中番組の次回放送番組が有る場合に表示される画面
図５は、実施の形態１の録画再生装置において視聴中番組の次回放送番組が有る場合に表示される画面の例を図示する模式図である。
【００６７】
視聴中番組の次回放送番組が有る場合にサブメニューボタン１１８０を押下する操作が行われたことが検出されたときは、図５に図示されるサブメニュー１２６０が視聴中番組の画面１２００に重畳するように映像表示部１０４３に表示される。サブメニュー１２６０が視聴中番組の画面１２００に重畳しないように表示されてもよい。
【００６８】
サブメニュー１２６０は、次回放送データベース１１４１において視聴中番組の次回放送番組の有無を示す情報１１６３が値「１」をとり、生成要求部１１０５が視聴中番組の次回放送番組が有ると判断している場合に表示される。例えば、サブメニュー１２６０は、視聴中番組が図３に図示される次回放送データベース１１４１における番組名「番組Ａ」を有する番組である場合に表示される。
【００６９】
サブメニュー１２６０には、視聴中番組の次回放送番組が有ることを表現する文字列「次回放送：あり」を含むメニュー項目１２８０が含まれる。サブメニュー１２６０が録画再生装置１０００の機能に関する他のメニュー項目を含んでもよい。視聴中番組の次回放送番組が有ることを表現する文字列「次回放送：あり」が、視聴中番組の次回放送番組が有ることを表現する他の文字列、アイコン等に置き換えられてもよい。文字列「次回放送：ある」がサブメニュー１２６０以外の表示物に含まれてもよい。文字列「次回放送：あり」が操作にかかわらず常に表示されてもよい。
【００７０】
１．９  全部のチャンネルについての次回放送データベースの生成
次回放送管理部１１０３は、視聴可能な全部のチャンネルについて次回放送データベース１１４１を生成する。また、生成要求部１１０５は、録画再生装置１０００が起動した時に視聴可能な全部のチャンネルについて次回放送データベース１１４１を取得する。これにより、視聴するチャンネルを視聴者が無造作に切り替えた場合であっても、視聴中番組の次回放送番組の有無を示す情報１１６３を参照する単純な処理により視聴中番組の次回放送番組の有無が特定され、視聴中番組の次回放送番組の有無が視聴者に迅速に提供される。
【００７１】
１．１０  次回放送ＥＰＧ
一般的なＥＰＧは、視聴中番組が放送されている日の視聴中番組が放送されているチャンネルの番組表を含む。当該番組表においては、視聴中番組の放送時間が始点になっており、視聴中番組についての表示情報が先頭に表示される。ＥＰＧは、番組表の日時を変更する操作を受け付け可能である。
【００７２】
図６は、実施の形態１の録画再生装置において表示される次回放送ＥＰＧの例を図示する模式図である。
【００７３】
ＥＰＧ生成部１１０１は、視聴中番組の次回放送番組が有ることを示すメニュー項目１２８０を選択する操作がリモコン１０２１に対して行われたことを検出した場合に、図６に図示される次回放送ＥＰＧ１３００を映像表示部１０４３に表示する。
【００７４】
次回放送ＥＰＧ１３００は、日付表示１３２０、チャンネル表示１３２１、チャンネル表示１３２２、チャンネル表示１３２３および時間表示１３２４を含む。また、次回放送ＥＰＧ１３００は、日付表示１３２０により示される日のチャンネル表示１３２１により示されるチャンネルの放送予定番組表示１３２５、日付表示１３２０により示される日のチャンネル表示１３２２により示されるチャンネルの放送予定番組表示１３２６および日付表示１３２０により示される日のチャンネル表示１３２３により示されるチャンネルの放送予定番組表示１３２７をさらに含む。さらに、次回放送ＥＰＧ１３００は、視聴中番組の次回放送番組の表示情報１３４０であることを示す印１３６０を含む。
【００７５】
放送予定番組表示１３２５，１３２６および１３２７は、それぞれチャンネル表示１３２１，１３２２および１３２３により示されるチャンネルの番組表を構成する。
【００７６】
放送予定番組表示１３２５においては、視聴中番組の次回放送番組の放送時間が始点になっており、視聴中番組の次回放送番組についての表示情報１３４０が先頭に表示される。また、放送予定番組表示１３２５においては、表示情報１３４０に印１３６０が付加されることにより、表示情報１３４０が強調表示される。表示情報１３４０に印１３６０を付加すること以外により、表示情報１３４０が強調表示されてもよい。例えば、文字列のフォントを特定のフォントにすること、文字列または背景の色を特定の色にすること等により、表示情報１３４０が強調表示されてもよい。
【００７７】
図６に図示される次回放送ＥＰＧ１３００においては、日付表示１３２０により示される日が１０月２日であり、視聴中番組の次回放送番組が番組名「番組ａ」を有する番組である。
【００７８】
図６に図示される次回放送ＥＰＧ１３００が他の次回放送ＥＰＧに置き換えられてもよい。
【００７９】
表示情報１３４０が番組表１３２５の先頭に強調表示されることにより、表示情報１３４０が視聴者に認識容易な形式で提供され、一般的なＥＰＧから表示情報１３４０を探し出す操作を視聴者が行う必要がなくなり、視聴者が視聴中番組の次回放送番組の録画予約を録画再生装置１０００に容易に指示できるようになる。
【００８０】
次回放送ＥＰＧ１３００の表示においては、視聴中番組の次回放送番組が有ることを示すメニュー項目１２８０を選択する操作がリモコン１０２１に対して行われたことが検出され、視聴者が視聴中番組の次回放送番組の内容を確認し視聴中番組の次回放送番組の録画予約を行うことを希望していると判定される場合に、生成要求部１１０５が次回放送ＥＰＧ１３００の生成をＥＰＧ生成部１１０１に要求する。ＥＰＧ生成部１１０１は、次回放送ＥＰＧ１３００の生成が要求されるのに応答して、視聴中番組の次回放送番組の情報から次回放送ＥＰＧ１３００を生成する。
【００８１】
次回放送ＥＰＧ１３００は、視聴中番組の次回放送番組の録画予約を受け付けるインターフェースともなっており、ＥＰＧ生成部１１０１は、視聴中番組の次回放送番組の録画予約を受け付けるインターフェースを生成するインターフェース生成部ともなっている。このため、リモコン１０２１に対して特定の操作が行われたことが検出された場合には、視聴中番組の次回放送番組の内容を確認可能な状態が実現され、視聴者が視聴中番組の次回放送番組の録画予約を録画再生装置１０００に指示する操作がリモコン１０２１に対して行われたことが検出された場合は、視聴中番組の次回放送番組の録画予約が受け付けられ、視聴中番組の次回放送番組の録画予約が行われる。視聴中番組の次回放送番組の録画予約が受け付けられた場合は、録画部１０６５により視聴中番組の次回放送番組が録画される。
【００８２】
１．１１  ＥＰＧおよび次回放送データベースの生成
図７は、実施の形態１の録画再生装置における、ＥＰＧおよび次回放送データベースを生成する処理の流れを図示するフローチャートである。
【００８３】
ＥＰＧおよび次回放送データベース１１４１の生成においては、図７に図示されるように、ＳＩ解析部１１００が、ＥＰＧを生成するために必要な情報を含む放送波を録画再生装置１０００が受信するのに応答して、ステップＳ１０１において、受信したＳＩを解析し、ＳＩからＥＰＧ生成用データベース１１４０を生成し、ステップＳ１０２において、ＥＰＧ生成用データベース１１４０の生成が完了したことを示す生成完了通知をＥＰＧ生成部１１０１および次回放送検索部１１０２に送る。
【００８４】
続いて、ＥＰＧ生成部１１０１が、生成完了通知を受けるのに応答して、ステップＳ１０３において、ＥＰＧ生成用データベース１１４０からＥＰＧを生成し、処理を終了する。
【００８５】
ＥＰＧの生成と並行して、次回放送検索部１１０２が、生成完了通知を受けるのに応答して、ステップＳ１０４において、ＥＰＧ生成用データベース１１４０に対して本日放送される番組の次回放送番組の有無の検索を行う。
【００８６】
続いて、次回放送管理部１１０３が、ステップＳ１０５において、検索の結果から次回放送データベース１１４１を生成する。
【００８７】
続いて、次回放送検索部１１０２が、ステップＳ１０６において、検索対象の番組の次回放送番組の有無の検索が終了しているか否かを判定する。検索対象の番組は、例えば検索が開始される時刻から翌日の０時０分までに放送が予定されている全番組である。
【００８８】
次回放送検索部１１０２は、検索が終了している場合は、処理を終了する。
【００８９】
一方、次回放送検索部１１０２は、検索が終了していない場合は、ステップＳ１０４において、本日放送される番組の次回放送番組の有無の検索をさらに行う。
【００９０】
ステップＳ１０４からＳ１０６までの繰り返しにより、次回放送検索部１１０２は、生成完了通知を受けるのに応答してＥＰＧ生成用データベース１１４０に対して本日放送される少なくともひとつの番組の各々の次回放送番組の有無の検索を行い、次回放送管理部１１０３は、当該検索の結果から次回放送データベース１１４１を生成する。
【００９１】
ステップＳ１０１からＳ１０６までによれば、新規のＥＰＧ生成用データベース１１４０が生成された場合および既存のＥＰＧ生成用データベース１１４０が更新された場合にＥＰＧ生成用データベース１１４０に対して次回放送番組の検索が行われ当該検索の結果から次回放送データベース１１４１が生成されるため、次回放送データベース１１４１が常に最新の状態に保たれ、次回放送データベース１１４１に基づいて視聴者に提供される表示情報が適切なものとなる。
【００９２】
１．１２  次回放送データベースの生成
図８は、実施の形態１の録画再生装置における、新たな日が到来した場合の次回放送データベースを生成する処理の流れを図示するフローチャートである。
【００９３】
新たな日が到来した場合の次回放送データベース１１４１の生成においては、図８に図示されるように、処理を開始する引き金が生成完了通知から日付変更通知に変更される点を除いてステップＳ１０４，Ｓ１０５およびＳ１０６において行われる処理と同様の処理がそれぞれステップＳ１１１，Ｓ１１２およびＳ１１３において行われるが、ＥＰＧが生成されない。
【００９４】
ステップＳ１１１からＳ１１３までの繰り返しにより、次回放送検索部１１０２は、日付変更通知を受けるのに応答してＥＰＧ生成用データベース１１４０に対して本日放送される少なくともひとつの番組の各々の次回放送番組の有無の検索を行い、次回放送管理部１１０３は、当該検索の結果から次回放送データベース１１４１を生成する。
【００９５】
ステップＳ１１１からＳ１１３までによれば、新たな日が到来した場合にＥＰＧ生成用データベース１１４０に対して次回放送番組の検索が行われ当該検索の結果から次回放送データベース１１４１が生成されるため、次回放送データベース１１４１が常に最新の状態に保たれ、次回放送データベース１１４１に基づいて視聴者に提供される表示情報が適切なものとなる。
【００９６】
１．１３  次回放送ＥＰＧの生成
図９は、実施の形態１の録画再生装置における、次回放送ＥＰＧを生成する処理の流れを図示するフローチャートである。
【００９７】
次回放送ＥＰＧ１３００の生成においては、図９に図示されるように、ＥＰＧ生成部１１０１が、生成要求部１１０５から次回放送ＥＰＧ１３００の生成が要求され生成要求部１１０５から視聴中番組の次回放送番組の情報を受けるのに応答して、ステップＳ１２１において、視聴中番組の次回放送番組の情報を取得する。また、ＥＰＧ生成部１１０１が、ステップＳ１２２において、視聴中番組の次回放送番組についての表示情報１３４０に印１３６０を付加する処理を管理するＥＰＧに対して行う。さらに、ＥＰＧ生成部１１０１が、ステップＳ１２３において、表示情報１３４０が先頭に表示される番組表１３２５を含む次回放送ＥＰＧ１３００を生成する。これにより、次回放送ＥＰＧ１３００が表示される。
【００９８】
１．１４  録画再生装置の起動
図１０は、実施の形態１の録画再生装置における、当該録画再生装置が起動した場合の処理の流れを図示するフローチャートである。
【００９９】
録画再生装置１０００が起動した場合は、図１０に図示されるように、生成要求部１１０５が、ステップＳ１３１において、次回放送データベース１１４１を次回放送管理部１１０３から取得し、ステップＳ１３２において、視聴中番組の情報をＳＩ解析部１１００から取得する。
【０１００】
続いて、生成要求部１１０５が、ステップＳ１３３において、取得した視聴中番組の情報を取得した次回放送データベース１１４１と比較し、視聴中番組の次回放送番組が有るか否かを判断する。
【０１０１】
生成要求部１１０５は、視聴中番組の次回放送番組が有ると判断した場合は、ステップＳ１３４において、文字列「次回放送：あり」の表示を準備し、録画再生装置１０００を視聴状態に移行させる。文字列「次回放送：あり」の表示の準備は、文字列「次回放送：あり」を含むメニュー項目１２８０を含むサブメニュー１２６０を、サブメニューボタン１１８０を押下する操作に応答して表示できる状態にすることである。
【０１０２】
一方、生成要求部１１０５は、視聴中番組の次回放送番組が無いと判断した場合は、ステップＳ１３５において、文字列「次回放送：なし」の表示を準備し、録画再生装置１０００を視聴状態にする。文字列「次回放送：なし」の表示の準備は、文字列「次回放送：なし」を含むメニュー項目１２４０を含むサブメニュー１２２０を、サブメニューボタン１１８０を押下する操作に応答して表示できる状態にすることである。
【０１０３】
ステップＳ１３１からＳ１３５により、生成要求部１１０５は、視聴者が視聴中番組の次回放送番組の有無を確認するためにサブメニューボタン１１８０を押下する操作を行った場合に当該操作に容易に応答できる。
【０１０４】
１．１５  視聴中番組の次回放送番組の有無についての表示情報の提供および視聴中番組の次回放送番組の録画予約の受け付け
図１１は、実施の形態１の録画再生装置における、視聴中番組の次回放送番組の有無についての表示情報を提供し視聴中番組の次回放送番組の録画予約を受け付ける処理の流れを図示するフローチャートである。
【０１０５】
視聴中番組の次回放送番組の有無についての表示情報を提供し視聴中番組の次回放送番組の録画予約を受け付ける処理においては、図１１に図示されるように、生成要求部１１０５が、録画再生装置１０００が視聴状態である間に、ステップＳ１４１において、視聴中番組の次回放送番組の有無の確認が有ったか否かを判定する。
【０１０６】
生成要求部１１０５は、視聴中番組の次回放送番組の有無の確認が無かったと判定した場合は、ステップＳ１４１における視聴中番組の次回放送番組の有無の確認が有ったか否かの判定を継続する。
【０１０７】
一方、生成要求部１１０５は、視聴中番組の次回放送番組の有無の確認が有ったと判定した場合は、ステップＳ１４２において、視聴中番組の次回放送番組が有るか否かを判定する。
【０１０８】
生成要求部１１０５は、視聴中番組の次回放送番組が有ると判定した場合は、ステップＳ１４３において、文字列「次回放送：あり」を含むメニュー項目１２８０を含むサブメニュー１２６０を映像表示部１０４３に表示する。
【０１０９】
一方、生成要求部１１０５は、視聴中番組の次回放送番組が無いと判定した場合は、ステップＳ１４４において、文字列「次回放送：なし」を含むメニュー項目１２４０を含むサブメニュー１２２０を映像表示部１０４３に表示し、録画再生装置１０００を視聴状態に移行させる。
【０１１０】
生成要求部１１０５は、ステップＳ１４３においてサブメニュー１２６０を表示した後に、ステップＳ１４５において、文字列「次回放送：あり」を含むメニュー項目１２８０が選択されたか否かを判定する。
【０１１１】
生成要求部１１０５は、メニュー項目１２８０が選択されなかったと判定した場合は、録画再生装置１０００を視聴状態に移行させる。
【０１１２】
一方、生成要求部１１０５は、メニュー項目１２８０が選択されたと判定した場合は、ステップＳ１４６において、次回放送ＥＰＧ１３００の生成を要求する。これにより、次回放送ＥＰＧ１３００が映像表示部１０４３に表示される。次回放送ＥＰＧ１３００の表示は、図９のフローチャートにより図示される処理の流れにしたがって行われる。
【０１１３】
生成要求部１１０５は、ステップＳ１４６において次回放送ＥＰＧ１３００の生成を要求した後に、ステップＳ１４７において、番組の録画予約を受け付けたか否かを判定する。録画予約を受け付ける番組は、視聴中番組の次回放送番組である場合もあるし、視聴中番組の次回放送番組でない場合もある。
【０１１４】
生成要求部１１０５は、録画予約を受け付けなかったと判定した場合は、録画再生装置１０００を視聴状態に移行させる。
【０１１５】
一方、生成要求部１１０５は、録画予約を受け付けたと判定した場合は、ステップＳ１４８において、録画予約を受け付けた番組を録画予約リストに登録し、録画再生装置１０００を視聴状態に移行させる。
【０１１６】
１．１６  実施の形態１の利点
実施の形態１によれば、視聴中番組の次回放送番組の有無を示すサブメニュー１２２０および１２６０ならびに視聴中番組の次回放送番組の録画予約を受け付ける次回放送ＥＰＧ１３００が視聴者に提供されるので、視聴者が視聴中番組の次回放送番組の有無を容易に確認でき、視聴者が視聴中番組の次回放送番組の録画予約を録画再生装置１０００に容易に指示できる。
【０１１７】
また、実施の形態１によれば、ＥＰＧ生成用データベース１１４０より小規模の次回放送データベース１１４１が次回放送管理部１１０３により事前に生成され、視聴中番組の次回放送番組の有無の判断に次回放送データベース１１４１が使用されるので、視聴中番組の次回放送番組の有無の判断が迅速に行われ、視聴中番組の次回放送番組の有無についての表示情報が視聴者に迅速に提供される。
【０１１８】
さらに、実施の形態１によれば、視聴中番組の次回放送番組についての表示情報１３４０を含む次回放送ＥＰＧ１３００が視聴者に提供されるので、視聴中番組の次回放送番組の内容を視聴者が容易に確認でき、視聴中番組の次回放送番組の録画予約を録画再生装置１０００に指示するか否かを視聴者が的確に判断できる。
【０１１９】
なお、実施の形態１によれば、放送事業者が次回放送番組の放送時間を送出しているか否かにかかわらず、これらの利点が生じる。
【０１２０】
１．１７  インターフェースの別例
図１２は、実施の形態１の録画再生装置において視聴中番組の次回放送番組が有る場合に表示される画面の別例を図示する模式図である。
【０１２１】
次回放送ＥＰＧ１３００が他のインターフェースに置き換えられてもよく、録画予約部１０６４が当該他のインターフェースを生成するインターフェース生成部を備えてもよい。例えば、次回放送ＥＰＧ１３００が図１２に図示されるサブメニュー１３８０に置き換えられてもよく、録画予約部１０６４がサブメニュー１３８０を生成するサブメニュー生成部を備えてもよい。
【０１２２】
サブメニュー１３８０は、視聴中番組の次回放送番組が有る場合にサブメニューボタン１１８０を押下する操作がリモコン１０２１に対して行われたことが検出されたときに表示され、文字列「次回放送を予約する」を含むメニュー項目１４００を含む。
【０１２３】
メニュー項目１４００を選択する操作がリモコン１０２１に対して行われたことが検出された場合は、視聴中番組の次回放送番組の録画予約が受け付けられる。
【０１２４】
２  実施の形態２
図１は、実施の形態２の録画再生装置を図示するブロック図でもある。図１３は、実施の形態２の録画再生装置に備えられる録画予約部を図示するブロック図である。図３−６および８−１２も、実施の形態２の録画再生装置についての説明となっている。
【０１２５】
実施の形態１と実施の形態２との主な相違は、実施の形態２においては、録画予約部１０６４が図１３に図示される閲覧管理部１１１０をさらに備え、閲覧管理部１１１０に嗜好情報を生成させる処理および閲覧管理部１１１０により生成された嗜好情報を利用する処理が行われる点にある。
【０１２６】
上記の主な相違をもたらす構成の採用を阻害しない範囲において実施の形態１において採用された技術が実施の形態２において採用されてもよい。
【０１２７】
以下では、上記の主な相違について専ら説明する。
【０１２８】
実施の形態２においては、ＥＰＧ生成部１１０１が、次回放送ＥＰＧ１３００を表示した場合に、次回放送ＥＰＧ１３００を表示したことを示す情報および視聴中番組の次回放送番組の情報を閲覧管理部１１１０に通知する。
【０１２９】
閲覧管理部１１１０は、次回放送ＥＰＧ１３００を表示したことを示す情報および視聴中番組の次回放送番組の情報が通知された場合に、通知された視聴中番組の次回放送番組の情報を蓄積する。この蓄積の繰り返しにより、複数の次回放送番組の情報が得られる。
【０１３０】
得られた複数の次回放送番組の情報は、視聴者が興味を持った番組の情報であるため、視聴者の嗜好を反映する。したがって、得られた複数の次回放送番組の情報の傾向を分析することにより、視聴者の嗜好を把握できる。複数の次回放送番組の情報の傾向を分析する方法は、制限されない。例えば、複数の次回放送番組の情報に一般的に含まれるジャンル情報が用いられ、複数の次回放送番組がジャンルにしたがって分類され、各ジャンルに属する次回放送番組の数が特定される。これにより、視聴者のジャンル嗜好が把握される。
【０１３１】
閲覧管理部１１１０は、得られた複数の次回放送番組の情報から視聴者の嗜好を把握し、把握した視聴者の嗜好を示す嗜好情報を生成する嗜好情報生成部として機能する。閲覧管理部１１１０は、生成した嗜好情報を次回放送検索部１１０２に通知する。
【０１３２】
次回放送検索部１１０２は、通知された嗜好情報をフィルタ情報として利用してＥＰＧ生成用データベース１１４０に対する検索の範囲を制限し、検索の対象になる番組の数を減らす。これにより、ＥＰＧ生成用データベース１１４０に対する検索の範囲が制限されない場合と比較して、ＥＰＧ生成用データベース１１４０に対する検索に要する時間が短縮され、次回放送データベース１１４１の生成に要する時間が短縮される。
【０１３３】
図１４は、実施の形態２の録画再生装置における、ＥＰＧおよび次回放送データベースを生成する処理の流れを図示するフローチャートである。
【０１３４】
ＥＰＧおよび次回放送データベースの生成においては、図１４に図示されるように、ＳＩ解析部１１００が、実施の形態１と同様に、ステップＳ２０１において、受信したＳＩを解析し、ＳＩからＥＰＧ生成用データベース１１４０を生成し、ステップＳ２０２において、生成完了通知をＥＰＧ生成部１１０１および次回放送検索部１１０２に送る。
【０１３５】
続いて、ＥＰＧ生成部１１０１が、ステップＳ２０３において、生成完了通知を受けるのに応答してＥＰＧ生成用データベース１１４０からＥＰＧを生成し、処理を終了する。
【０１３６】
ＥＰＧの生成と並行して、次回放送検索部１１０２が、生成完了通知を受けるのに応答して、ステップＳ２０４において、閲覧管理部１１１０から嗜好情報を取得し、ステップＳ２０５においてＥＰＧ生成用データベース１１４０に対して本日放送される番組の次回放送番組の有無の検索を行う。検索においては、嗜好情報がフィルタ情報とされる。
【０１３７】
続いて、次回放送管理部１１０３が、ステップＳ２０６において、検索の結果から次回放送データベース１１４１を生成する。
【０１３８】
続いて、次回放送検索部１１０２が、ステップＳ２０７において、検索対象の番組の次回放送番組の有無の検索が終了しているか否かを判定する。
【０１３９】
次回放送検索部１１０２は、検索が終了している場合は、処理を終了する。
【０１４０】
一方、次回放送検索部１１０２は、検索が終了していない場合は、ステップＳ２０５において、本日放送される番組の次回放送番組の有無の検索をさらに行う。
【０１４１】
実施の形態２によれば、実施の形態１と同様に、視聴者が視聴中番組の次回放送番組の有無を容易に確認でき、視聴者が視聴中番組の次回放送番組の録画予約を録画再生装置１０００に容易に指示できる。
【０１４２】
また、実施の形態２によれば、実施の形態１と同様に、視聴中番組の次回放送番組の有無の判断が迅速に行われ、視聴中番組の次回放送番組の有無を示す表示情報が視聴者に迅速に提供される。
【０１４３】
さらに、実施の形態２によれば、実施の形態１と同様に、視聴者が視聴中番組の次回放送番組の内容を容易に確認でき、視聴中番組の次回放送番組の録画予約を録画再生装置１０００に指示するか否かを的確に判断できる。
【０１４４】
加えて、実施の形態２によれば、過去に視聴者が興味を持った番組から把握される視聴者の嗜好によりＥＰＧ生成用データベース１１４０に対する検索の範囲が制限されるので、次回放送データベース１１４１の生成に要する時間が短縮される。
【０１４５】
なお、実施の形態２によれば、放送事業者が次回放送番組の放送時間を送出しているか否かにかかわらず、これらの利点が生じる。
【０１４６】
なお、本発明は、その発明の範囲内において、各実施の形態を自由に組み合わせたり、各実施の形態を適宜、変形、省略することが可能である。
【０１４７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１４８】
１０００  録画再生装置、１０６０  デマルチプレクサ（Ｄｅｍｕｘ）、１０６４  録画予約部、１０６５  録画部、１１００  ＳＩ解析部、１１０１  ＥＰＧ生成部、１１０２  次回放送検索部、１１０３  次回放送管理部、１１０４  日付変更通知部、１１０５  生成要求部、１１４０  電子番組ガイド（ＥＰＧ）生成用データベース、１１４１  次回放送データベース、１２２０，１２６０，１３８０  サブメニュー、１３００  次回放送ＥＰＧ、１３６０  印。
【図１】
2018164120.tif 000003
【図２】
2018164120.tif 000004
【図３】
2018164120.tif 000005
【図４】
2018164120.tif 000006
【図５】
2018164120.tif 000007
【図６】
2018164120.tif 000008
【図７】
2018164120.tif 000009
【図８】
2018164120.tif 000010
【図９】
2018164120.tif 000011
【図１０】
2018164120.tif 000012
【図１１】
2018164120.tif 000013
【図１２】
2018164120.tif 000014
【図１３】
2018164120.tif 000015
【図１４】
2018164120.tif 000016